(57)【要約】【課題】ダイパッドと封止樹脂体との密着強度を改善し、耐湿性を向上した半導体装置およびその製造方法の提供。【解決手段】ダイパッド１の側面に複数の突起部９を設け、その突起部９を半導体素子３の搭載面側に折り曲げるようにリードフレームを加工する。そして、搭載面上に半導体素子３を搭載し、ダイパッド１の露出面を露出させて、半導体素子３、突起部９、インナーリード等を封止樹脂体７で封止する。すると、突起部９およびそれらの連結部分が封止樹脂体７に噛み合い密着性が向上。実装時のダイパッド１の変形が少なく、実装後も良好な耐湿性を維持できる。【選択図】図３
2004104155.tif 000002
【特許請求の範囲】
【請求項１】
半導体素子と、
前記半導体素子を搭載するダイパッドと、
前記半導体素子を封止する封止樹脂体と、
前記ダイパッドは、前記半導体素子を搭載する搭載面と、前記封止樹脂体から外へ露出されている前記搭載面と反対側の露出面とを有し、
前記露出面の周縁に沿って溝が設けられた、半導体装置。
【請求項２】
前記溝は前記半導体チップよりも外側に形成されている、請求項１に記載の半導体装置。
【請求項３】
前記溝はリング状に形成されている、請求項1または請求項２に記載の半導体装置。
【請求項４】
前記溝は二重に形成されている、請求項１〜請求項３のいずれかひとつに記載の半導体装置。
【発明の詳細な説明】
【技術分野】
【０００１】
　本発明は、モータドライバ用、音声増幅用などの発熱量の大きな半導体素子を搭載するのに適応した半導体装置に関するものである。
【背景技術】
【０００２】
　近年の電子機器の多機能化、小型・薄型化に伴い、半導体装置においては、薄型で良好な放熱性が要望されてきている。そこで、このような薄型の半導体装置として、特許文献１には、次のようなものが提案されている。
【０００３】
　以下、従来の半導体装置について説明する。図１２は、従来の半導体装置を示す図であり、図１２（ａ）は半導体装置の要部断面図であり、図１２（ｂ）はその背面図である。
【０００４】
　図１２に示すように、従来の半導体装置は、ダイパッド１に接着剤２を塗布して、その上に半導体素子３を固着している。その半導体素子３には金属細線４が接続され、ダイパッド１周辺にある複数本のインナーリード５とそれぞれ電気的に接続されている。各インナーリード５と一体的に連結された各アウターリード６は封止樹脂体７から導出され、ダイパッド１，接着剤２，半導体素子３，金属細線４およびインナーリード５は封止樹脂体７で封止されている。また、封止樹脂体７は４辺形の平板状に成形されているとともに、アウターリード６は封止樹脂体７の４辺からそれぞれ引き出されている。そして、ダイパッド１の露出面（半導体素子３を搭載した面と反対側の面）は封止樹脂体７から露出している。
【０００５】
　この半導体装置は、通常は、封止樹脂体７から露出したダイパッド１の露出面はプリント基板（図示せず）に接するように実装される。発熱源である半導体素子３を搭載したダイパッド１が封止樹脂体７より露出されているため、外気に直接放熱することができ、高い放熱性を保つことができる。
【特許文献１】特開平９−１９９６３９号公報
【発明の開示】
【発明が解決しようとする課題】
【０００６】
　しかしながら、従来の半導体装置は、ダイパッド１の裏面を封止金型（図示せず）に押し当てて樹脂封止する際、樹脂を注入する時の注入圧力によって、樹脂がダイパッド１と封止金型との間に流れ出し、ダイパッド１の裏面側に薄バリが発生する。この薄バリを放置すると、ダイパッド１の裏面からの放熱を妨げるため、薬品やウォータージェットなどで薄バリを除去する必要がある。しかし、上記の耐湿性に問題があることから、薬品やウォータージェットなどで薄バリを除去する際に、水分や薬品が封止樹脂体７内部に浸透して、信頼性に支障を来すという問題があった。
【０００７】
　本発明の目的は、従来の上記問題点を解決するもので、プリント基板に実装後の耐湿性を確保できる放熱効果の高い半導体装置およびその製造方法を提供することにある。
【課題を解決するための手段】
【０００８】
　本発明の半導体装置は、半導体素子と、前記半導体素子を搭載するダイパッドと、前記半導体素子を封止する封止樹脂体と、前記ダイパッドは、前記半導体素子を搭載する搭載面と、前記封止樹脂体から外へ露出されている前記搭載面と反対側の露出面とを有し、前記露出面の周縁に沿って溝が設けられた半導体装置である。
【０００９】
　また、前記溝は前記半導体チップよりも外側に形成されている半導体装置である。
【００１０】
　また、前記溝はリング状に形成されている半導体装置である。
【００１１】
　また、前記溝は二重に形成されている半導体装置である。
【発明の効果】
【００１２】
　以上、本発明の半導体装置は、ダイパッドの周縁部に沿って溝を設けることで、樹脂封止時の封止圧力が溝に沿って逃がされ、もしも樹脂が回り込んだ時には、その樹脂を溝で止めることができ、樹脂バリを最小限にすることができる。
【００１３】
　また、本発明の半導体装置の製造方法では、ダイパッドがインナーリードより低い位置にダウンセットされた構造のリードフレームを使用して樹脂封止するから、樹脂封止時にリードフレームを型締めすると、支持リードによってダイパッドの露出面が金型の底部に押し付けられ、ダイパッドの下に樹脂が回り込むことを防止し、樹脂の薄バリを防止することができる。
【発明を実施するための最良の形態】
【００１４】
　以下、本発明による半導体装置の実施形態について説明する。図１は第１の実施形態の半導体装置に用いるリードフレームを示す平面図であり、封止樹脂体の形状を破線で示している。また、図２は第１の実施形態による半導体装置を説明するための図であり、図２（ａ）は半導体装置の要部断面構造を示す断面図、図２（ｂ）は図１の対角線に沿う断面図であり、図２（ｃ）は背面図である。
【００１５】
　図１および図２に示すように、第１の実施形態による半導体装置は、ダイパッド１に接着剤２を塗布して、その上に半導体素子３を固着している。その半導体素子３には金属細線４が接続され、ダイパッド１周辺にある複数本のインナーリード５とそれぞれ電気的に接続されている。各インナーリード５と一体的に連結された各アウターリード６は封止樹脂体７から導出され、ダイパッド１，接着剤２，半導体素子３，金属細線４およびインナーリード５は封止樹脂体７で封止されている。また、封止樹脂体７は４辺形の平板状に成形されているとともに、アウターリード６は封止樹脂体７の４辺からそれぞれ引き出されている。そして、ダイパッド１の露出面は封止樹脂体７から露出されている。
【００１６】
　ダイパッド１の四隅にはそれぞれ支持リード１０が連結されており、支持リード１０はリードフレームを一体成形した後に、リードフレーム単独でも一体化した状態を維持するために、ダイパッド１を支持するものであるが、その他の機能もある。
【００１７】
　支持リード１０は、ダイパッド１から離れた箇所はインナーリード５の高さと同じ高さになっており、ダイパッド１に近い２カ所で屈曲させてあり、ダイパッド１をインナーリード５より低い位置に固定している。言い換えるとダウンセットしている。これは、封止樹脂体７の成形時に樹脂封止金型（図示せず）の底部にダイパッド１を押さえ付ける力をダイパッド１に与えるためにも使われる。
【００１８】
　ダイパッド１の各側面には、先端がＴ字型に形成された複数の突起部８を有し、かつ、突起部８は半導体素子３の搭載面側に屈曲されている。その突起部８は、封止樹脂体７に埋設されるので、封止樹脂体７との噛み合いが良く、ダイパッド１と封止樹脂体７との密着性を向上し、半導体装置の耐湿性を確保できる。その一方で、封止樹脂体７内に蓄積した湿気が半田付け時に熱膨張する際には、複数の突起部８同士の間にほど良い通気性があり、内部の蒸気を容易に逃がすことができ、ダイパッド１の変形を小さくして、実装後の耐湿性を改善できる。
【００１９】
　また、ダイパッド１の半導体素子３搭載面と反対側の露出面には、リング状の溝１６を形成している。この溝１６によって、樹脂封止時の樹脂注入圧力を逃がすと共に、樹脂の流れをせき止めることができ、薄バリを一定の範囲内に抑えることができる。従って、露出面の実効的な面積を確実に確保でき、露出面の半田付けを可能にして、さらに高い放熱効果を高めることができる。
【００２０】
　次に、第２の実施形態による半導体装置について、図３を用いて説明する。図３は第２の実施形態による半導体装置を説明するための図であり、図３（ａ）は第２の実施形態に用いるリードフレームの平面図であり、図中の破線は封止樹脂体の形状を示しており、図３（ｂ）は半導体装置の要部断面図である。
【００２１】
　図３に示すように、第２の実施形態による半導体装置は、ダイパッド１に接着剤２を塗布して、その上に半導体素子３を固着している。その半導体素子３には金属細線４が接続され、ダイパッド１周辺にある複数本のインナーリード５とそれぞれ電気的に接続されている。各インナーリード５と一体的に連結された各アウターリード６は封止樹脂体７から導出され、ダイパッド１，接着剤２，半導体素子３，金属細線４およびインナーリード５は封止樹脂体７で封止されている。また、封止樹脂体７は４辺形の平板状に成形されているとともに、アウターリード６は封止樹脂体７の４辺からそれぞれ引き出されている。そして、ダイパッド１の露出面は封止樹脂体７から露出されている。
【００２２】
　ダイパッド１の四隅に連結された支持リード１０は、リードフレームを一体成形した後でも一体化した状態を維持するために、ダイパッド１を支持するものであるが、ダイパッド１に近い２カ所を屈曲させて、ダイパッド１をインナーリード５より低い位置にダウンセットしている。このような構成のアウターリード６及び支持リード１０を樹脂封止金型に型締めすると、支持リード１０の剛性力によって、ダイパッド１は樹脂封止金型（図示せず）の底部に押し付けることができる。
【００２３】
　ダイパッド１の各側面には、複数の突起部９を有し、それら複数の突起部９の間には突起部９の先端を連結する部分（連結部分）を有しており、その突起部９は半導体素子３の搭載面側に屈曲されている。その複数の突起部９およびそれらの連結部分は、封止樹脂体７に埋設されるので、上記第１の実施形態よりも封止樹脂体７との噛み合いが良く、ダイパッド１と封止樹脂体７との密着性をより向上させ、より良い耐湿性を確保することができる。しかも、その連結部分とダイパッド１との間にダイパッド１の周縁に沿ったスリット状の穴が存在することになり、封止樹脂体７内に蓄積した湿気が半田付け時に熱膨張する際には、そのスリット状の穴がほど良い通気性を確保して、内部の蒸気を容易に逃がすことができ、ダイパッド１の変形を小さくして、実装後の耐湿性を改善できる。
【００２４】
　また、ダイパッド１の半導体素子３搭載面と反対側の露出面には、リング状の溝１６を形成している。この溝１６によって、樹脂封止時の樹脂注入圧力を逃がすと共に、樹脂の流れをせき止めることができ、薄バリを一定の範囲内に抑えることができる。従って、露出面の実効的な面積を確実に確保でき、露出面の半田付けを可能にして、さらに高い放熱効果を高めることができる。
【００２５】
　次に、第３の実施形態による半導体装置について図４を用いて説明する。図４は第３の実施形態による半導体装置を説明するための図であり、図４（ａ）は第３の実施形態に用いるリードフレームの平面図であり、図中の破線は封止樹脂体の形状を示しており、（ｂ）は要部断面図である。
【００２６】
　図４に示す第３の実施形態は、前述の第２の実施形態と殆ど変わらないので、第２の実施形態との相違点を中心に説明する。
【００２７】
　ダイパッド１を支持する支持リード１０は、第２の実施形態では標準的に採用される０．２〜０．２５ｍｍ幅（インナーリード５の幅）であるのに対し、第３の実施形態では０．４〜０．８ｍｍ幅と太くしている。これによって、第３の実施形態の半導体装置は、大きな剛性力を確保し、樹脂封止時にアウターリード６および支持リード１０を型締めしてダウンセットされたダイパッド１を封止金型に押し付ける力が強められ、ダイパッド１の露出面にできやすい封止樹脂の薄バリを抑制することができる。なお、標準的なリード幅（０．２〜０．２５ｍｍ幅）の支持リードを各所に２本以上を設けることによっても、同様の効果を達成できる。
【００２８】
　次に、図３に図示した半導体装置を製造する方法を一例にして、第４の実施形態としての半導体装置の製造方法を、図５〜図１０に基づいて説明する。
【００２９】
　図５は、半導体装置の製造に使用するリードフレームを示す構成図であり、図５（ａ）はリードフレームの平面図、（ｂ）は要部断面図である。
【００３０】
　リードフレームの素材としては、熱伝導が良好で比較的機械強度の大きい鉄、鉄合金、銅または銅合金の薄板を使用する。そして、図５に示すように、その薄板をエッチング加工あるいはプレス加工により、ダイパッド１、インナーリード５、アウターリード６、ダイパッド１の４つの側面に先端を連結した複数の突起部９、支持リード１０、ダムバー１１、外枠１２、内枠１３及び、ガイド孔１４を一体成形する。図５に示すリードフレーム１５は、外枠によって多連に構成されているリードフレーム１５の一単位を図示したものである。
【００３１】
　リードフレーム１５の表面のワイヤーボンディング領域（図示せず）にＡｇめっき、あるいは全体にＮｉ，Ｐｄ，Ａｕの３層めっきを施す。この場合、最外層にＡｕフラッシュを施すことで、Ａｇめっきを施したものより封止樹脂との密着性が向上し、良好な耐湿性を得ることができる。また、樹脂封止前に外装めっきが施されているので、樹脂封止時のダイパッド露出部に薄バリが発生しても、外装めっきの障害という問題が発生しないので、Ｎｉ，Ｐｄ，Ａｕの３層めっきを施すことが望ましい。
【００３２】
　次に、樹脂封止時にダイパッド１の露出面に発生する樹脂の薄バリをせき止めるために、ダイパッド１の半導体素子３の搭載面と反対側になる露出面にリング状の溝１６を形成する。
【００３３】
　この際、溝１６の切削加工により、リードフレーム材料が伸びるため、ダイパッド１の溝１６より外側の部分が半導体素子３搭載面側に数〜数十μｍ反り上がってしまうことがある。この場合は、ダイパッド１の半導体素子３の搭載面側にも溝１６とほぼ同じ形の溝（図示せず）を施すことで、材料の伸びを相殺し、反り上がりを防止することができる。ダイパッド１の搭載面側に設ける溝（図示せず）は、溝１６のように薄バリをせき止めるためのものではないので、リング状に閉じなくても良い。
【００３４】
　また、薄バリは樹脂が注入される部分に多く発生し易い。これは、ダイパッドを封止金型に押さえ付ける充填圧力が加わる前に、封止樹脂がダイパッド１と封止金型との間に回り込んでしまうためである。この場合、少なくとも封止樹脂が注入される方向に合致したダイパッド１の部分に溝を２重に形成することで、薄バリをせき止めることができる。
【００３５】
　次に、ダイパッド１に近い支持リード１０の２箇所を折り曲げて、ダイパッド１をインナーリード５より低い位置にダウンセットさせるダウンセット加工と、ダイパッド１の４つの側面に設けられた互いの先端が連結された突起部９を半導体素子３の搭載面側に折り曲げる突起部折り曲げ加工とを行う。
【００３６】
　このとき、屈曲用金型を１回だけ用いて行うのではなく、２つの折り曲げ箇所のちょうど中間位置で第１段階の屈曲成形を行い、第２段階では、第１段階で折り曲げた箇所を直線状に戻す成形を行いながら、最終的な所定の折り曲げ箇所で折り曲げ加工を行う。これは、折り曲げ加工の箇所では金属を引き延ばす応力が加えられるため、１回の折り曲げ加工で一気にダウンセットすると、金属疲労が大きくなり、支持リード１０の屈曲部に亀裂が生じることから、第１段階と第２段階とに分けて、異なる位置を折り曲げ成形することによって、支持リード１０の金属疲労を低減している。
【００３７】
　一例として、樹脂１ｍｍ厚、１４ｍｍ角の面実装パッケージを０．１５ｍｍ厚の銅合金板で作製する事例を説明する。この場合、ダイパッド１のサイズは７ｍｍ角程度、複数の突起部９は長さ０．５ｍｍ程度で半導体素子３の搭載面側に４５度程度の角度で折り曲げる。折り曲げた突起部９の先端は、金属細線に接触しないように、インナーリード５よりも下に位置するように成形される。支持リード１０を折り曲げてダイパッド１をインナーリード５の位置より低く設定（ダウンセット）するが、そのダウンセット量（ダイパッド１とインナーリード５との段差）は０．４７ｍｍ程度に設定する。結果として、封止金型による位置規制が無ければ封止金型の底部よりダイパッド１の位置が０．０２〜０．２ｍｍの範囲で下がるように、ダウンセット量を設定する。また、ダイパッド１の溝１６の深さは０．０１ｍｍ程度であれば、リードフレームを工程内で移動させる場合にひっかかりが生じるような問題は発生しない。
【００３８】
　このように構成されている多連リードフレーム１５は、半導体素子３をダイパッド１に固着する半導体素子ボンディング工程および、半導体素子３とインナーリード５を電気的に接続するワイヤーボンディング工程が、各単位リードフレーム毎に実施される。これらのボンディング作業は横方向にピッチ送りされることにより、各単位当たりのリードフレーム毎に順次実施される。
【００３９】
　次に、ダイボンディング工程およびワイヤーボンディング工程について説明する。図６はダイボンディングの前工程を説明するための工程断面図、図７はダイボンディング工程を説明するための工程断面図であり、図８はワイヤーボンディング工程を説明するための工程断面図である。
【００４０】
　まず、図６に示すように、半導体素子ボンディング装置（図示せず）のステージ１７上において、ダイパッド１上に半導体素子３を固着するための接着剤２を塗布する。接着剤の塗布はディスペンサ１８を用いて、接着剤２を滴下することにより行う。接着剤２は、一例として熱硬化性のエポキシ樹脂にＡｇ粉を混合させた銀ペーストからなる。
【００４１】
　次に、図７に示すように、接着剤２を塗布したダイパッド１上にコレット１９を用いて半導体素子３を搭載した後、ヒートステージ（図示せず）上で加熱し、接着剤２を硬化させる。一例として、半導体素子３は、外形寸法が４ｍｍ角、厚さが０．３ｍｍ程度のシリコン単結晶である。また、加熱条件は２００〜２５０℃、３０秒から１分程度である。なお、接着剤２の硬化はオーブンを用いてもよい。
【００４２】
　次に、図８に示すように、ダイパッド１上に固着された半導体素子３のボンディングパッド２１と、インナーリード５とを金属細線４を用いて電気的に接続する。ワイヤーボンド装置のヒートステージ２０には、ダイパッド１と支持リード１０の一部が入る逃がし部が形成されており、インナーリードのワイヤーボンド領域外周部を固定治具２２によって固定しながら行う。一例として、金属細線は、直径２０〜３５μｍのＡｕワイヤーを用いる。
【００４３】
　このようにして、各単位リードフレーム毎にダイボンディング、ワイヤーボンディングが施された後、単位リードフレーム群を一括して樹脂封止して封止樹脂体７群が同時成形される。
【００４４】
　次に、樹脂封止工程を説明するための工程断面図である図９を参照しながら、樹脂封止工程について説明する。
【００４５】
　図９は、トランスファ成形装置を示しており、シリンダ装置（図示せず）によって型締めされる一対の上型２４と下型２５とを備えており、上型２４と下型２５との合わせ面には上型キャビティー２６ａと下型キャビティー２６ｂとで、キャビティー２６を形成するように、それぞれ複数組み埋設されている。上型２４の合わせ面にはポット２７が開設されており、ポット２７にはシリンダ装置（図示しない）により進退されるプランジャー２８が成形材料としての樹脂を送給し得るように挿入されている。下型２５の合わせ面にはカル２９がポット２７と対向位置に配されて埋設されているとともに、ランナー３０がポット２７とにそれぞれ接続されている。さらに各ランナー３０の他端部は下型キャビティー２６ｂにそれぞれ接続されており、その接続部にはゲート３１が樹脂をキャビティー２６内に注入し得るように形成されている。また、下型２５の合わせ面には、逃がし部３２がリードフレーム重合体２３におけるリードフレーム１５の厚み分を逃げ得るように、その外形よりも若干大きめの長方形で、その厚さよりも若干浅い深さに形成されている。このような構成のトランスファ成形装置を用いて、樹脂封止は以下の方法で行われる。
【００４６】
　１８０℃程度に加熱された上記トランスファ装置の封止金型の逃がし部３２に、リードフレーム重合体２３を装着し封止金型を型締めする。次に、円錐形に打錠された樹脂（図示せず）をポット２７に挿入し、プランジャー２８により樹脂がカル２９、ランナー３０、ゲート３１を通じて各キャビティー２６に圧入される。注入後、樹脂が熱硬化されて封止樹脂体７が形成されると、上型２４および下型２５は型開きされるとともに、エジェクタ・ピン（図示しない）により封止樹脂体７群が離型され、樹脂成形されたリードフレーム重合体２３はトランスファ成形装置から脱装される。
【００４７】
　このようにして、樹脂成形された封止樹脂体の内部には、ダイパッド１、接着剤２、半導体素子３、金属細線４、およびインナーリード５が樹脂封止されることになる。この際、下型２５による位置規制が無ければ、下型２５の底部の深さより０．０２〜０．２ｍｍ低い位置に固定されるようにダウンセットされたダイパッド１を有したリードフレームを封止金型で型締めした時、半導体素子３の搭載面と反対側の露出面が下型２５に押し付けられ、ダイパッド１の下側（露出面側）に樹脂が回り込むのを防止するため、ダイパッド１の露出面を封止樹脂体７より露出させるように樹脂封止することができる。
【００４８】
　なお、通常に使用される封止金型のキャビティー部分は基板実装に認識し易くするためにナシ地加工が施され表面が荒らされているが、少なくともダイパッドが当接する部分に鏡面加工を施す（図示せず）ことによって、ダイパッド１と封止金型との隙間を無くすことができるので、薄バリの発生をさらに抑制することができる。さらに、下型２５のダイパッド１が当接する部分にダイパッド１を吸着する機構（図示せず）をもたせることによって、さらに薄バリの発生を抑制することができる。
【００４９】
　図１０は樹脂封止後の半導体装置の背面図であり、ダイパッドの露出面に形成される薄バリを説明するための図である。
【００５０】
　図１０に示すように、ダイパッド１の露出面は、ダイパッド１の外周部から樹脂注入圧力によって樹脂の薄バリ３３が漏れだして付着するが、ダイパッド１に施されているリング状に形成された溝１６で薄バリが止まり、溝１６の内側に実効的な露出面を一定面積以上に確保することができ、ダイパッド１の露出面をプリント基板（図示せず）に半田付け実装することが可能になる。また、リング状の溝１６は、図１０に示すように一重で設けるより、二重に設ける方がより確実に薄バリの発生を防止できる。
【００５１】
　次に、樹脂成形されたリードフレーム重合体２３の、リードフレーム１５のボンディング領域にＡｇめっきが施されたものの場合は、リードフレーム重合体２３の封止樹脂体７以外の部分に、半田外装めっきを施す（図示せず）。リードフレーム１５の少なくとも半導体装置の完成品となる部分にＰｄめっきが施されているものの場合は、半田外装めっきは必要としない。
【００５２】
　次に、図１１に示すように、半田外装めっきを経た後、あるいは半田外装めっきされる前の樹脂成形されたリードフレーム重合体２３を、切断装置（図示せず）によって、各単位リードフレーム毎に順次、ダムバー１１を切断する。
【００５３】
　次に、リード成形装置（図示せず）によって、アウターリード６の先端と内枠１３の一部を切断した後、アウターリード６をガルウイング形状に屈曲成形し、内枠１３の一部を切断し、半導体装置を外枠１２から切り離す。
【００５４】
　以上のようにして、図３に示す半導体装置を完成することができる。
【産業上の利用可能性】
【００５５】
　モータドライバ用、音声増幅用などの発熱量が大きな半導体素子が搭載された半導体装置に採用され、高効率の放熱を実現する。
【図面の簡単な説明】
【００５６】
【図１】本発明の第１の実施形態に係る半導体装置に用いるリードフレームの平面図
【図２】本発明の第１の実施形態に係る半導体装置を示す図であり、（ａ）は半導体装置の要部断面図、（ｂ）は図１の対角線に沿った断面図、（ｃ）は半導体装置の背面図
【図３】第２の実施形態の半導体装置を示す図であり、（ａ）は半導体装置に用いるリードフレームの平面図、（ｂ）は半導体装置の要部断面図
【図４】第３の実施形態の半導体装置を示す図であり、（ａ）は半導体装置に用いるリードフレームの平面図、（ｂ）は半導体装置の要部断面図
【図５】第４の実施形態に用いるリードフレームを示す図、（ａ）はリードフレームの平面図、（ｂ）はリードフレームの要部断面図
【図６】第４の実施形態のダイボンディング工程の前工程を説明するための工程断面図
【図７】第４の実施形態のダイボンディング工程を説明するための工程断面図
【図８】第４の実施形態のワイヤーボンディング工程を説明するための工程断面図
【図９】第４の実施形態の樹脂封止工程を説明するための工程断面図
【図１０】樹脂封止後の半導体装置の背面図であり、ダイパッドの露出面に形成される薄バリを説明するための図
【図１１】ダムバー切断後の半導体装置を示す図
【図１２】従来の半導体装置を示す図であり、（ａ）は半導体装置の要部断面図　（ｂ）は半導体装置の背面図
【符号の説明】
【００５７】
　１　ダイパッド
　２　接着剤
　３　半導体素子
　４　金属細線
　５　インナーリード
　６　アウターリード
　７　封止樹脂体
　８　突起部
　９　突起部
　１０　支持リード
　１１　ダムバー
　１２　外枠
　１３　内枠
　１４　ガイド孔
　１５　リードフレーム
　１６　溝
　１７　ステージ
　１８　ディスペンサ
　１９　コレット
　２０　ヒートステージ
　２１　ボンディングパッド
　２２　固定治具
　２３　リードフレーム重合体
　２４　上型
　２５　下型
　２６ａ　キャビティー上
　２６ｂ　キャビティー下
　２７　ポット
　２８　プランジャー
　２９　カル
　３０　ランナー
　３１　ゲート
　３２　逃がし部
　３３　薄バリ
【図１】
2004104155.tif 000003
【図２】
2004104155.tif 000004
【図３】
2004104155.tif 000005
【図４】
2004104155.tif 000006
【図５】
2004104155.tif 000007
【図６】
2004104155.tif 000008
【図７】
2004104155.tif 000009
【図８】
2004104155.tif 000010
【図９】
2004104155.tif 000011
【図１０】
2004104155.tif 000012
【図１１】
2004104155.tif 000013
【図１２】
2004104155.tif 000014